(57)【要約】【課題】  電池蓋装置のロック機構において部品のバラツキに影響されずに小型、高精度で強度の強いロック機構を提供する。【解決手段】  電池蓋に対して縦方向に摺動可能で回転ヒンジを持つ内蓋と、横方向に摺動可能な蓋のスライド動作を規制する操作部材とが、互いの切り欠き部に互いの突出部を係合させることにより、お互いの摺動動作を規制しあう。【選択図】        図１
2006196253.tif 000002
【特許請求の範囲】
【請求項１】
爪によって係止され、蓋の回転軸に対して直交方向にスライドすることにより、係止状態から開放され回動可能になる電池蓋において、回転ヒンジが配設され電池蓋に対して回転軸直交方向に摺動可能な内蓋と、内蓋摺動方向に直交する方向に摺動可能な蓋のスライド動作を規制する操作部材を有し、内蓋に設けられた第１の係止部によって操作部材の第１の被係止部が規制され、操作部材に設けられた第２の係止部によって内蓋の第２の被係止部が規制されることを特徴とする電池収納装置。
【請求項２】
前記電池蓋の開蓋状態において、蓋の回転軸に直交した方向に内蓋が摺動した際、操作部材が初期位置から内蓋の摺動方向に直交した方向に摺動された状態で規制されることを特徴とした請求項１に記載の電池収納装置。
【請求項３】
前記操作部材と内蓋に形成されている係止部が切り欠き部であり、被係止部が突出部であることを特徴とする請求項１に記載の電池収納装置。
【発明の詳細な説明】
【技術分野】
【０００１】
本発明はデジタルカメラの電池蓋の開閉動作を規制するためのロック構造に係る電池収納装置に関する。
【背景技術】
【０００２】
従来の回動する軸に対して直交方向にスライド動作をすることにより係止が外れて回転動作により開蓋する電池蓋においては、スライド動作を規制するロックレバーが弾性体によって閉蓋状態の位置に付勢され、その弾性力に抗してロックレバーをスライドさせることで蓋自体のスライド動作の規制が外れ開蓋した際に、ロックレバーが閉蓋位置の方向に戻る構造になっていた（例えば、特許文献１参照）。
【特許文献１】特開平９−１６３２０４号公報
【発明の開示】
【発明が解決しようとする課題】
【０００３】
ロックレバーは蓋のスライド動作を規制するかんぬきの役割を果たしているのだが、ロックレバーがカメラ本体に形成された係止部位に当たることで蓋自体のスライド動作が規制させる構造において、開蓋時にロックレバーが閉蓋時の位置に戻ってしまう場合、蓋のスライド動作を係止している部位を乗り越える構造を持つ必要が生じる。通常そのような場合はロックレバーあるいは係止部位にテーパ面を形成し、蓋を閉じる回転動作や、蓋のスライド動作中に誘い込むような形で係止部位を乗り越えている。このようなテーパ面を形成するにはロックレバーあるいは係止部は大型化してしまう為、小型化を目指すカメラには大きな障害になる。あるいは大型化させないでこの構造を形成するためにはロックレバーのスライド量を少なく設定し、テーパ面が小さくても済むようにする必要があり、動作の確実性を損なう恐れがあった。
【０００４】
また、蓋自体のスライド動作に対して閉蓋時の位置規制に関して蓋の部品はもちろんのこと、電池室や外装カバー等多くの部品が関わっていた為、部品のバラツキによる公差積み上げの影響を受けやすく、蓋を閉じたときのガタを抑えるのが困難であった為に外観を害しやすい構造となっていた。
【０００５】
本発明は、以上の点に着目して成されたもので、部品のバラツキに影響されずに小型、高精度で強度の強い電池収納装置を提供することを目的とする。
【課題を解決するための手段】
【０００６】
蓋の回動軸のヒンジを持つ内蓋にロックレバーのスライド方向と平行な切り欠きを設け、閉蓋時には弾性体により切り欠き方向に付勢されたロックレバーからの突出部がその切り欠きに入り込む。ロックレバーにも蓋のスライド方向と平行に切り欠きを設け、開蓋のために蓋をスライドさせると、ロックレバーの切り欠き部に平行に設けた内蓋の曲げ切片が入り込む。
【０００７】
すなわち、本発明の技術内容は以下の構成を備えることにより前記課題を解決できた。
【０００８】
（１）爪によって係止され、蓋の回転軸に対して直交方向にスライドすることにより、係止状態から開放され回動可能になる電池蓋において、回転ヒンジが配設され電池蓋に対して回転軸直交方向に摺動可能な内蓋と、内蓋摺動方向に直交する方向に摺動可能な蓋のスライド動作を規制する操作部材を有し、内蓋に設けられた第１の係止部によって操作部材の第１の被係止部が規制され、操作部材に設けられた第２の係止部によって内蓋の第２の被係止部が規制されることを特徴とする電池収納装置。
【発明の効果】
【０００９】
本発明によるとロックレバーのスライド動作を開蓋時の状態で規制することで、ロックレバーの小型化及び構造の強化、ストローク量を大きくとることが可能になる。またロックレバーと内蓋の２部品により位置規制ができるために部品公差の積み上げによる閉蓋時のがたつきを抑えることができることで、外観を流麗に保つことが出来る。
【発明を実施するための最良の形態】
【００１０】
本発明に係る電池蓋のロック機構は、通常、携帯型の電子・電気機器に用いられる。
【００１１】
以下本発明を実施するための最良の形態を、実施例により詳しく説明する。
【実施例１】
【００１２】
実施の形態である携帯型のデジタルカメラ装置１１（図５等）（請求項の電池収納装置に相当する）には、その底面部に形成された電池収納部の蓋である電池蓋の開閉装置が開閉自在に取り付けられている。
【００１３】
この電池蓋の開閉装置は、例えば図１乃至図８に示すように電池収納部に電池１４を挿脱する電池収納部開口部１２が設けられ、この電池収納開口部１２の近傍に設けられた係合凸部６を有する筐体１１と、案内壁１ａを有し相対する案内壁４ｃに沿って第一の動作であるスライド動作する外蓋１と、外蓋一体となって固定される内蓋７，８と、案内壁１ａに沿って嵌合され外蓋１と内蓋７によって狭持され、筐体１１の一部にヒンジ手段により第２の動作である回転動作をするように支持される内蓋４と、一方の端部が電池収納開口部１２近傍の筐体１１の掛止部に掛け止められ、他方の端部が内蓋４の掛止部に掛け止められる内蓋４を開蓋する方向に付勢する第１の弾性体５とを有して構成される。
【００１４】
また、上記外蓋１の内方には筐体１１に設けられた係止部６ａに係止される係止部２ｃを有していると共に、外蓋１に開口された操作部１ｅに望まされる操作部２ｄが設けられたロックレバーと、上記ロックレバーを上記２ｃ方向に付勢する第２の弾性体３とが配設されている。
【００１５】
さらに上記ロックレバーには、閉蓋状態で内蓋４の掛止部４ａに係合される凸部２ａと外蓋１が第１の動作であるスライド動作をした際に内蓋４の曲げ起し部４ｂと係合する掛止部２ｂとが設けられている。
【００１６】
電池収納部は図７乃至図８に示すように収納される電池１４とほぼ同じ寸法にて形成されている。ここで収納される電池１４は単３型乾電池２本であり、円筒形の天面及び底面に電極が形成されている。したがって、電池収納部の底面には電池１４の電極と接する導電性の金属により形成された板バネが取り付けられている。上記板バネは電池１４が電池収納部に収納されると、電池１４の接点と上記バネが接触し導通する。
【００１７】
また、電池１４のもう一方の端部の電極に関しては、同じく導電性の金属材料にて形成された内蓋８が、電池１４を電池収納部に収納し電池蓋装置を閉蓋すると電池１４の電極と内蓋８が接触し導通する。
【００１８】
その際上記板バネは電池１４を電池蓋方向に付勢している。電池蓋は閉蓋時には筐体１１に設けられた係止部６，１５，１６が外蓋１に設けられた係止部１ｂ、１ｃ、１ｄと係合することにより開蓋方向に回動することはない。上記板バネが電池１４を付勢しているために、電池１４は内蓋８に常に押圧された状態になるために安定した接触による着実な導通を得ることができる。
【００１９】
また、筐体１１には、電池収納開口部１２の近傍に回転軸１８が筐体１１に配設された支持部材１７により取り付けられている。回転軸１８にはヒンジを介して内蓋４が回転自在に取り付けられている。
【００２０】
また外蓋１の外側は、全体として筐体１１の外部形状の一部として形成されている。よって外蓋１が閉蓋された状態においては、筐体１１の外観意匠を害さないように形成されている。そしてこの外蓋１には、ロックレバー２をスライド操作するための操作部２ｄを外部に望ませるための開口部１ｅが開設されている。
【００２１】
また外蓋１の内側には閉蓋時に弾性体５によって開蓋方向に回動しようとする力に抗するために係止部１ｂ，１ｃ，１ｄが形成されている。上記係止部１ｂ，１ｃ，１ｄは筐体１１に形成された６，１５，１６にそれぞれ対応しており、閉蓋状態から電池蓋装置の第一の動作であるスライド動作を行うことによって係合が外れ、電池蓋装置は回動可能になる。また外蓋１の内側にはロックレバー２のスライド動作を規制する案内壁１ｆが略平行に形成されており、ロックレバー２はこの案内壁１ｆに沿ってスライド動作を行う。
【００２２】
また、外蓋１の内側には内蓋４のスライド動作を規制する案内壁１ａが略平行に形成されており、この案内壁１ａと筐体１１に回動自在に取り付けられた内蓋４の案内壁４ｃが係合するように配設される。またこの案内壁１ａと内蓋４の案内壁４ｃが摺動することにより電池蓋装置の第一の動作であるスライド動作が行われる。また、外蓋１の内側には外蓋１と内蓋８とを固定するためのねじ穴１ｇが形成されている。
【００２３】
内蓋７は絶縁性のある部材にて形成されており、金属材料で形成されている内蓋４と電池接片としての機能を持つ内蓋８との間に図１に示されるように狭持される。
【００２４】
内蓋８は図１に示されるように上記外蓋１の内側に配置固定される。よって内蓋８には外蓋１のねじ穴１ｇに対応する箇所にねじ止め穴８ａが穿設されている。そして、内蓋８は内蓋７を外蓋１との間に狭持し、さらに内蓋４を内蓋７と外蓋１との間に摺動自在に狭持した状態で外蓋１の内側を閉蓋し、止めねじ１０によって固定される。
【００２５】
内蓋４は第一の弾性体５が配置される凹部とロックレバーを係合する切り欠き部４ａとロックレバーに係合する曲げ部４ｂが形成されている。凹部の両端には凸部が形成されており、上記回転軸１８に沿って巻きつけられ、内蓋４を回動自在に筐体１１に取り付ける。
【００２６】
第一の弾性体５はコイルスプリングによって構成されており、一方の端部は筐体１１に掛け止められもう一方の端部は内蓋４の凹部近傍に穿設された穴に掛け止められる。これによって内蓋４は開蓋方向に付勢されることとなる。
【００２７】
ロックレバー２は外蓋１の内側に略平行に形成された案内壁１ｆの間に摺動可能に嵌合され配置される。そして閉蓋時には内蓋４の切り欠き部４ａと係合する凸部２ａと電池蓋装置の第一の動作であるスライド動作が行われた際に内蓋４の曲げ部４ｂと係合する切り欠き部２ｂが形成されている。また、ロックレバー２には係止部材６ａに相対して電池蓋装置の第一の動作であるスライド動作を規制する係止部２ｃが形成されている。また、この係止部２ｃは閉蓋時には電池蓋装置の開閉検出レバー１３を押上している。
【００２８】
そして、外蓋１の開口部１ｅからロックレバー２の操作部２ｄが突出するように形成されており、この操作部よりロックレバー２はスライド操作される。さらにロックレバー２には位置決め凸部近傍に第２の弾性体３と嵌合する凸部が形成されている。
【００２９】
このように構成される電池蓋の開閉装置は図１に示すように外蓋１のロックレバー案内壁１ｆに、弾性体３を嵌入したロックレバー２を嵌入し、弾性体５を掛け止めした内蓋４を外蓋１の案内壁１ａに嵌入する。そして内蓋７を位置決めピンに合わせて配置し、その上に導電性の金属材料で形成された弾性を持つ瞬断防止用電池接片９を配置し、その上に内蓋８によって閉蓋し内蓋８に穿設されたねじ止め穴に止めねじ１０によって螺合され、組みつけられる。
【００３０】
このように構成される電池蓋装置は図５に示すように電池収納開口部１２が電池蓋によって閉蓋される。この際外蓋１は筐体１１の外形形状と一体となった状態になっている。
【００３１】
この際、ロックレバー２の操作部２ｄは図５に示すように操作開口部１ｅの右上方向に位置している。また、図２に示すように電池蓋装置の閉蓋時にはロックレバー２の一方の端部に形成された係止部２ｃは筐体１１に形成されている規制壁６ａと略接触しており、反対側に形成されたロックレバー２の係止部である２ａは内蓋４の係合切り欠き部４ａに係合されている。ロックレバー２は弾性体３により図２で言う所の右下方向に常に付勢されているため、外力なしに係止部２ａは内蓋４の係合部４ａから外れることはない。すなわち本電池蓋装置は閉蓋時には図４に示すＢ方向への本装置の第一の動作であるスライド動作をすることはできない。
【００３２】
また、この際、従来のように例えば筐体の係止部に対してロックレバーが位置決めされている場合、電池蓋と位置決め部材の間に多数の部品が介在することとなり、寸法公差のばらつきが積み重なった時に位置精度が出なくなる。しかし、本構成によると電池蓋装置は係合部２ａ，４ａの２つの部品のみの関係で位置が決められており、寸法のバラツキによる位置決め精度の低下は最小限に抑えることができる。
【００３３】
電池蓋装置の閉蓋時にロックレバー２は外蓋１の案内壁１ｆに沿って図５に示すようにＡ方向に弾性体３の弾性力に抗して操作されることでスライド動作される。ロックレバー２がスライド動作されると、内蓋４の切り欠き部４ａに係合されている係止部２ａが開放される。また、筐体１１の係止部６ａからロックレバー２の係止部２ｃが開放されることにより、電池蓋装置の第一の動作であるスライド動作が可能になる。
【００３４】
また、筐体１１の電池収納開口部１２近傍には電池蓋装置の開閉検出レバー１３が配設されている。上記検出レバーは電池蓋装置が閉蓋状態においては、ロックレバー２の検出レバー押上部２ｃにより筐体天面方向に押上されている。検出レバー１３の被操作部である２ｃと反対側には図示しない電池蓋装置の開閉検出スイッチが配設されており、ロックレバー２によって押上された検出レバー１３が上記検出スイッチを押上する事によって、電池蓋装置が閉蓋状態であることを検出している。
【００３５】
次に、ロックレバー２がスライド動作された時は、ロックレバー２の検出レバー押上部２ｃが開閉検出レバー１３から外れた位置に移動する。これにより検出レバー１３には押上られる外力がかからなくなり、上記検出スイッチに内設されている弾性体の反力によって検出レバー１３は押下され、検出スイッチから離れる。これによって、電池蓋装置が開蓋状態になったことが検出される。開蓋状態が検出された場合、本デジタルカメラ装置は電池蓋が完全に開蓋され収容されている電池１４の電極が電池接片から離れる前に、電源のシャットダウン動作を行う。
【００３６】
ロックレバー２がスライド動作されると、電池蓋の第一の動作であるスライド動作が可能になるので本電池蓋装置を開蓋するには図６に示すように電池蓋装置はＢ方向に第一の動作であるスライド動作が行われる。このＢ方向へのスライド動作により図４に示すようにロックレバー２に形成された係合凹部２ｂに内蓋４に形成された曲げ部４ｂが係合される。これによって第２の弾性体３によって図４で言う所の右下方向に付勢されているロックレバー２は図６に示すようにスライド操作後の位置に固定される。
【００３７】
また、このＢ方向へのスライド動作が行われることによって、筐体１１に形成されている係合部６，１５，１６から外蓋１に形成されている係合部１ｂ、１ｃ、１ｄが解放される。これによって外蓋１と筐体１１との係合が外れ、電池蓋装置は第２の動作である回転動作が可能になる。
【００３８】
すると、第一の弾性体５によって開蓋方向、つまり図７で示すＣ方向に付勢された内蓋４は、内蓋４を狭持している外蓋１と内蓋７，８と共に電池蓋装置全体を開蓋する。
【００３９】
そして、電池収納開口部１２が開口された状態において電池１４が電池収納部に収納される。また、収納する電池を取り出す際は電池収納部内部に配設された電池接片の板バネの弾性力によって押し出され図８に示すような状態になるため、余分な操作なく電池を取り出すことが出来る。
【００４０】
一方、電池蓋を閉蓋する場合には、具体的には上述した電池蓋の開蓋操作とは反対の操作が行われる。
【００４１】
すなわち、電池蓋の開閉装置は押圧されて開蓋された電池蓋を上記の第一の弾性体５の弾性力に抗して図７に示すＣ方向と逆の方向に回転動作されて電池収納開口部１２を閉蓋した図６に示すような状態になる。
【００４２】
この際ロックレバー２は内蓋４の係止曲げ部４ｂがロックレバー２の係合凹部２ｂに係合した状態にあるため、図６に示すように外蓋１の操作開口部１ｅの左下側に固定されている。
【００４３】
この際に、例えばロックレバー２がロックレバー２の係止部２ｂ、内蓋４の係止曲げ部４ｂによって係止されていない場合は、第２の弾性体３の弾性力によってロックレバー２は図３に示すＡ方向と逆の方向に、すなわち図３で言う所の右下方向に移動してしまう。この状態で閉蓋動作を行おうとすると閉蓋するために電池蓋装置の第２の動作である回転動作を行う際に、筐体１１に形成された係止形状６ａをロックレバーの係止部２ｃが乗り越えるような動作をする必要が生じる。
【００４４】
この場合、一般的には係止のための形状のどちらかにテーパ面を形成することで余計な操作なしにロックレバーを移動させようとするが、係止形状の強度を保ったままテーパ面を形成すると係止形状は大きくならざるを得ない。またはロックレバーの移動量を小さくして、テーパ面の量を少なくしようとすると、ロックレバー係止部に例えば電池蓋検出レバーを操作させるような、機能を持たせる移動量を確保できなくなる。
【００４５】
本構成によると、ロックレバー２の係止部２ｃは筐体１１に形成された係止形状６ａを何の操作もなく通過して電池蓋装置の第一の動作であるスライド動作を行うことが出来る。また、この通過をするためにテーパ面など誘いの形状を持たせる必要もないために、係止部の形状を強度を保ったまま小型化することができる。また、ロックレバー２の移動量も大きく取れるために、検出レバー１３の操作などの別の機能をロックレバー２の係止部２ｃに持たせることができる。
【００４６】
そして図６に示される状態から外蓋１は図６で言う所のＢ方向と逆の方向にスライド動作される。外蓋１がスライド動作されると、筐体１１に形成されている係止形状６，１５，１６に外蓋１に形成された係止形状１ｂ、１ｃ、１ｄが係合され、電池蓋は第１の弾性体５の弾性力による電池蓋の回転動作が規制されるようになり、不用意に電池蓋装置が開蓋されることはない。
【００４７】
また、この時電池蓋のＢ方向と逆方向へのスライド動作によりロックレバー２の係合凹部２ｂから内蓋４の係合曲げ部４ｂが外れる。これによって、ロックレバー２は第２の弾性体３の弾性力により図３に示すＡ方向とは逆の方向に移動される。この時ロックレバー２の係合凸部２ａは内蓋４の係合切り欠き部４ａに係合されることとなる。またロックレバー２の係止部２ｃが筐体１１に形成された係止形状６ａ面の手前に入り込む。これによって電池蓋装置は電池蓋の第１の動作であるスライド動作が規制され、図２に示すような閉蓋状態になる。
【図面の簡単な説明】
【００４８】
【図１】本発明に係る電池蓋の分解斜視図である。
【図２】同電池蓋の閉蓋状態を示す要部斜視図である。
【図３】同電池蓋のロックが解除された状態を示す要部斜視図である。
【図４】同電池蓋のロックレバーのスライドを規制された状態を示す要部斜視図である。
【図５】撮像装置の電池蓋開閉装置において、電池蓋が閉蓋された状態を示す要部斜視図である。
【図６】撮像装置の電池蓋開閉装置において、ロックが解除され電池蓋がスライドした状態を示す要部斜視図である。
【図７】撮像装置の電池蓋開閉装置において、電池蓋が開蓋された状態を示す要部斜視図である。
【図８】撮像装置の電池蓋開閉装置において、電池蓋が開蓋され、電池が略挿入された状態を示す要部斜視図である。
【符号の説明】
【００４９】
１    電池蓋（外蓋）
２    ロックレバー
３    ロックレバーを付勢する弾性体
４    回転ヒンジを持つ内蓋その１
５    電池蓋を回動させる弾性体
６    蓋のスライド動作の係止部材
７    内蓋その１と内蓋その３を絶縁する内蓋その２
８    電池接片を兼ねた内蓋その３
９    瞬断防止用弾性電池接片
１０  内蓋と外蓋の締結用ねじ
１１  撮像装置筐体
１２  電池収納開口部
１３  電池蓋開閉検出レバー
１４  電池
【図１】
2006196253.tif 000003
【図２】
2006196253.tif 000004
【図３】
2006196253.tif 000005
【図４】
2006196253.tif 000006
【図５】
2006196253.tif 000007
【図６】
2006196253.tif 000008
【図７】
2006196253.tif 000009
【図８】
2006196253.tif 000010